(57)【要約】【課題】テレビカメラ用レンズのフォーカスに関連する操作を行うためのフォーカス操作装置において、マニュアルフォーカス（ＭＦ）に関する操作部材からなるＭＦ操作部と、オートフォーカス（ＡＦ）に関する操作部材からなるＡＦ操作部とを、別体の操作ユニットに設けることによって、ＭＦの操作とＡＦの操作との切替えを迅速に行えるようにしたレンズ操作装置を提供する。【解決手段】フォーカス操作装置は、ＭＦ操作ユニット５０とＡＦ操作ユニット５２、５４とから構成される。ＭＦ操作ユニット５０にはＭＦにおいてフォーカス位置を指示する回動可能なグリップ６２が設けられている。ＡＦ操作ユニット５２には、ＡＦに関連する操作部材の略全てが設けられ、ＡＦ操作ユニット５４には、ＡＦの開始を指示するＡＦスタートスイッチ８２が設けられている。【選択図】    図２
2009003015.tif 000002
【特許請求の範囲】
【請求項１】
撮影光学系を有するテレビカメラ用レンズのフォーカス調整を手動で行うためのマニュアルフォーカスと、フォーカス調整を自動で行うためのオートフォーカスとに関連する操作を行うフォーカス操作装置において、
別体として構成された複数の操作ユニットを有すると共に、該複数の操作ユニットによりマニュアルフォーカスに関連する操作部材からなるＭＦ操作部と、オートフォーカスに関連する操作部材からなるＡＦ操作部とを備え、
前記ＭＦ操作部が設けられる操作ユニットと異なる操作ユニットに、前記ＡＦ操作部の操作部材のうち１又は複数の操作部材が設けられ、
前記ＭＦ操作部及び前記ＡＦ操作部の各操作部材の操作に応じて前記テレビカメラ用レンズに送出する信号を、前記複数の操作ユニットのうちのいずれか１つの操作ユニットから前記テレビカメラ用レンズに伝送することを特徴とするフォーカス操作装置。
【請求項２】
前記ＭＦ操作部が設けられる操作ユニットと異なる操作ユニットであって、ＡＦの開始を指示するＡＦスタートスイッチのみが設けられた操作ユニットを有することを特徴とする請求項１のフォーカス操作装置。
【請求項３】
前記ＭＦ操作部と前記ＡＦ操作部とが異なる操作ユニットに設けられたことを特徴とする請求項１又は２のフォーカス操作装置。
【発明の詳細な説明】
【技術分野】
【０００１】
本発明はフォーカス操作装置に係り、特に放送用テレビレンズ装置（テレビカメラ用レンズ）のフォーカスに関する操作に使用されるフォーカス操作装置に関する。
【背景技術】
【０００２】
従来、放送用テレビレンズ装置のフォーカスに関連する操作に使用されるフォーカス操作装置として、レンズ装置にケーブルで接続されるフォーカスデマンドと呼ばれるフォーカス操作装置が知られている。このようなフォーカス操作装置を使用する場合、テレビカメラ本体やカメラ本体に装着されたレンズ装置が架台（ペデスタルドリーや三脚）に支持され、その架台に延設された操作ロッド（パン／チルト棒）にフォーカス操作装置が取り付けられるようになっている。
【０００３】
また、カメラ本体又はレンズ装置において、操作者が手動でフォーカス調整を行うマニュアルフォーカス（ＭＦ）の機能と、自動でフォーカス調整を行うオートフォーカス（ＡＦ）の機能とを備えている場合に、ＭＦに関連する操作を行うためのＭＦ操作部と、ＡＦに関連する操作を行うためのＡＦ操作部との両方を備えたフォーカス操作装置が使用されている（例えば、特許文献１参照）。
【特許文献１】特開２００３−３３７２７８号公報
【発明の開示】
【発明が解決しようとする課題】
【０００４】
しかしながら、上記のようなフォーカス操作装置においてＭＦ操作部には色々な種類があり、例えば、フォーカスの位置をグリップ形状の操作部材（ＭＦ用グリップ）の回転位置により操作するものでは、そのＭＦ用グリップの端を把持して操作することが多い。このような場合に、ＡＦ操作部の操作を行うときにはＭＦ用グリップから完全に手を離さなくてはならない。そのため、例えば、ＡＦ操作部からＭＦ操作部、又は、ＭＦ操作部からＡＦ操作部への操作の切替えを迅速に行えない等の不具合があった。
【０００５】
本発明はこのような事情に鑑みてなされたもので、ＭＦの操作とＡＦの操作の切替えを迅速に行えるようにしたフォーカス操作装置を提供することを目的とする。
【課題を解決するための手段】
【０００６】
前記目的を達成するために、請求項１に記載のフォーカス操作装置は、撮影光学系を有するテレビカメラ用レンズのフォーカス調整を手動で行うためのマニュアルフォーカスと、フォーカス調整を自動で行うためのオートフォーカスとに関連する操作を行うフォーカス操作装置において、別体として構成された複数の操作ユニットを有すると共に、該複数の操作ユニットによりマニュアルフォーカスに関連する操作部材からなるＭＦ操作部と、オートフォーカスに関連する操作部材からなるＡＦ操作部とを備え、前記ＭＦ操作部が設けられる操作ユニットと異なる操作ユニットに、前記ＡＦ操作部の操作部材のうち１又は複数の操作部材が設けられ、前記ＭＦ操作部及び前記ＡＦ操作部の各操作部材の操作に応じて前記テレビカメラ用レンズに送出する信号を、前記複数の操作ユニットのうちのいずれか１つの操作ユニットから前記テレビカメラ用レンズに伝送することを特徴としている。
【０００７】
本発明によれば、ＭＦ操作部の操作部材とＡＦ操作部の所定の操作部材と、別体の操作ユニットに設けることができるため、各々の操作ユニットを同時に操作可能にした状況（例えば、右手と左手の各々の手で操作可能な状況）にしておくことができ、ＭＦの操作とＡＦの操作の切替えを迅速に行うことができるようになる。
【０００８】
請求項２に記載のフォーカス操作装置は、請求項１に記載の発明において、前記ＭＦ操作部が設けられる操作ユニットと異なる操作ユニットであって、ＡＦの開始を指示するＡＦスタートスイッチのみが設けられた操作ユニットを有することを特徴としている。
【０００９】
ＡＦスタートスイッチは、ＡＦ操作部の操作部材として使用頻度が高いため、ＡＦスタートスイッチのみを設けた操作ユニットがあると、操作者がＭＦ操作部と同時に操作しやすい位置にＡＦスタートスイッチを設置しておくことができるため効果的である。
【００１０】
請求項３に係るフォーカス操作装置は、請求項１又は２に記載の発明において、前記ＭＦ操作部と前記ＡＦ操作部とが異なる操作ユニットに設けられたことを特徴としている。本発明は、ＭＦ操作部とＡＦ操作部とを異なる操作ユニットに完全に分けた態様である。
【発明の効果】
【００１１】
本発明に係るフォーカス操作装置によれば、ＭＦの操作とＡＦの操作の切替えを迅速に行えるようになる。
【発明を実施するための最良の形態】
【００１２】
以下、添付図面に従って本発明に係るフォーカス操作装置を実施するための最良の形態について詳説する。
【００１３】
図１は、本発明に係るフォーカス操作装置を使用したテレビカメラシステムの一実施の形態を示した外観斜視図である。同図に示すテレビカメラシステムでは、テレビカメラ１０がベデスタルドリー１６の雲台１８に支持されている。テレビカメラ１０は、カメラ本体１４とカメラ本体１４に着脱可能に装着されるレンズ装置１２とから構成されており、レンズ装置１２は、被写体の像を結像する撮影光学系と、撮影光学系のフォーカス（フォーカスレンズ）、ズーム（ズームレンズ）、絞り等を駆動制御する制御系とを一体の装置として備えている。
【００１４】
カメラ本体１４は、レンズ装置１２の撮影光学系により結像された被写体像を電気信号に変換する撮像素子（ＣＣＤ等の固体撮像素子）や、固体撮像素子により得られた被写体像の信号から所定形式の映像信号を生成する信号処理回路等を備えている。カメラ本体１４で生成された映像信号はカメラ本体１４の所定のコネクタに接続された外部機器に送出され、テレビカメラ１０で撮影された映像の記録や編集などが施されるようになっている。尚、カメラ本体１４には、現在撮影されているリアルタイムの映像や、カメラ本体１４やレンズ装置１２の設定状態等を表示するモニタ１５が設置されている。
【００１５】
雲台１８には、３本の操作ロッド２２、２３、２４が延設されており、操作ロッド２２にはズーム操作装置（ズームデマンド）２６が設置され、操作ロッド２３、２４には、後述のように複数の操作ユニット５０、５２、５４から構成された本発明に係るフォーカス操作装置２８が設置されている。これらのズーム操作装置２６、フォーカス操作装置２８の各々は、レンズ装置１２の所定のコネクタにケーブルを介して接続され、ズーム操作装置２６やフォーカス操作装置２８から出力された信号がレンズ装置１２（レンズ装置１２の制御系）に伝送されるようになっている。
【００１６】
ズーム操作装置２６は、レンズ装置１２における撮影光学系のズーム（焦点距離）に関連する操作を行うための操作装置である。ズーム操作装置２６には、例えば、基準位置から両方向に回動可能なサムリング２６Ａが設けられており、このサムリング２６Ａを回動操作すると、基準位置からの操作量（回転方向及び回転量）に対応した速度（方向及び速さ）でのズームの移動を指令するズーム指令信号がズームデマンド２６からレンズ装置１２に与えられるようになっている。一方、レンズ装置１２では、そのズーム指令信号に従って撮影光学系のズームが制御されるようになっている。従って、操作者がズーム操作装置２６のサムリング２６Ａを操作することによってズームを所望の速度でワイド側又はテレ側に移動させることができるようになっている。尚、ズームデマンド２６には、サムリング２６Ａ以外のズームに関連する操作部材が設けられるが説明を省略する。
【００１７】
フォーカス操作装置２８は、レンズ装置１２における撮影光学系のフォーカスに関する操作を行うための操作装置であり、複数の操作ユニット５０、５２、５４から構成されている。図２にフォーカス操作装置２８を構成する各操作ユニット５０、５２、５４が示されている。同図に示すようにフォーカス操作装置２８は、マニュアルフォーカス（ＭＦ）用のＭＦ操作ユニット５０とオートフォーカス（ＡＦ）用のＡＦ操作ユニット５２、５４とから構成されている。図１においてＭＦ操作ユニット５０は操作ロッド２３にクランプ５１によって取り付けられ、ＡＦ操作ユニット５２、５４はクランプ５３やバンド１０２によって操作ロッド２４に取り付けられており、操作者は、右手でＭＦ操作ユニット５０を操作可能にした状態で、左手でＡＦ操作ユニット５２、５４を操作することができるようになっている。尚、ＭＦ操作ユニット５０やＡＦ操作ユニット５２、５４を操作ロッドに取り付ける手段はどのようなものでもよいし、それらを操作ロッド以外の位置に取り付けられるようにしてもよい。
【００１８】
また、ＡＦ操作ユニット５２は、レンズ装置１２の所定のコネクタ（フォーカス操作装置接続用のコネクタ）にケーブルで直接接続され、例えばＡＦ操作ユニット５２に内蔵されたＣＰＵがレンズ装置１２との間で各種信号の送受信（例えば、シリアル通信）を行うようになっている。このＡＦ操作ユニット５２に設けられた各種操作部材の操作内容に応じた指令信号は、それらの操作部材の操作内容を検出したＡＦ操作ユニット５２のＣＰＵによってレンズ装置１２に直接送信される。
【００１９】
一方、ＭＦ操作ユニット５０やＡＦ操作ユニット５４は、ＡＦ操作ユニット５２にケーブルで接続されるようになっており、それらのＭＦ操作ユニット５０やＡＦ操作ユニット５４に設けられた各種操作部材の操作内容に応じて出力される指令信号は、一旦、ＡＦ操作ユニット５２に取り込まれた後、ＡＦ操作ユニット５２からレンズ装置１２に送信されるようなっている。
【００２０】
図２において、ＡＦ操作ユニット５２のユニット本体７０に設けられたコネクタ９０、９２、９４は各々、レンズ装置１２、ＭＦ操作ユニット５０、ＡＦ操作ユニット５４に接続するケーブルが装着されるコネクタである。ＭＦ操作ユニット５０のユニット本体６０に設けられたコネクタ６４、ＡＦ操作ユニット５４のユニット本体１００に設けられたコネクタ１０４は、ＡＦ操作ユニット５２に接続するケーブルが装着されるコネクタである。
【００２１】
ここで、レンズ装置１２（レンズ装置１２の制御系）は、フォーカスの制御として、操作者が手動でフォーカス調整を行うためのマニュアルフォーカス（ＭＦ）の制御と、被写体画像のコントラストに基づいて自動でフォーカス調整を行うためのオートフォーカス（ＡＦ）の制御とを切り替えて実行することができるようになっている。レンズ装置１２にはカメラ本体１４で生成された映像信号が取り込まれるようになっており、ＡＦの制御では、例えば、その映像信号から高域周波数成分の信号が抽出され、フレーム画像ごとに、ＡＦの対象範囲となるＡＦエリア内の信号が積算される。そして、その積算値がＡＦエリア内の被写体画像のコントラストを示す値として認識され、積算値が最大（コントラストが最大）となるようにフォーカスが制御される。
【００２２】
ＭＦ操作ユニット５０は、ＭＦに関連する操作を行うためのＭＦ操作部を備えたユニットであり、ＭＦ操作ユニット５０のユニット本体６０には、ユニット本体６０に対して回動可能なグリップ６２が設けられている。ＭＦでフォーカス調整を行う場合に、グリップ６２を把持して回動操作すると、グリップ６２の回転位置に対応した位置へのフォーカスの移動を指令する指令信号がＡＦ操作ユニット５２を介してレンズ装置１２に送信されるようになっている。レンズ装置では、その指令信号に従ってフォーカスが制御されるようになっている。従って、ＭＦ操作ユニット５０のグリップ６２を回動操作することによって、その回転位置に対応した位置にフォーカスが設定される。尚、ＭＦ操作ユニット５０には、グリップ６２以外にもＭＦに関連する他の種類の操作部材が設けられていてもよい。
【００２３】
ＡＦ操作ユニット５２、５４は、ＡＦに関連する操作を行うためのＡＦ操作部を備えたユニットであり、ＡＦ操作ユニット５２のユニット本体７０には、ＡＦに関連する略全ての操作を行うための操作部材が設けられている。具体的には、ＡＦモードスイッチ７２、ＡＦエリア位置コントロールスイッチ７４、ＡＦエリア（ＡＦ枠）サイズ調整ツマミ７６、ＡＦスピード調整ツマミ７８、方向切替スイッチ８０等が設けられている。これらの操作部材の操作内容に対応した指令信号はレンズ装置１２に送信され、レンズ装置１２においてそれらの操作部材の操作内容に基づく以下のような内容の処理が実行される。
【００２４】
ＡＦモードスイッチ７２は、ＡＦオフ（ＭＦモード）、ワンショットＡＦモード、連続ＡＦモードのいずれかを選択する３つの選択位置をもつスライドスイッチである。ＡＦオフが選択された場合、レンズ装置１２ではフォーカスの制御モードをＭＦモードに設定し、上記のようにＭＦ操作ユニット５０のグリップ６２の回転位置に従ってフォーカスを制御する。
【００２５】
ワンショットＡＦモードが選択された場合、レンズ装置１２では、ＡＦ操作ユニット５４のＡＦスタートスイッチ８２がオン（無操作でオフ）されるとＡＦの制御を開始し、その後、合焦状態になると、ＡＦの制御を終了するという制御モードに設定する。
【００２６】
連続ＡＦモードが選択された場合、レンズ装置１２では、ＡＦ操作ユニット５４のＡＦスタートスイッチ８２がオンされるとＡＦの制御を開始し、ＡＦを停止する所定の操作が行われるまでＡＦの制御を継続して実行するという制御モードに設定する。ＡＦを停止する操作として、例えば、ＡＦスタートスイッチ８２のオン操作（押下操作）、又は、ＭＦ操作ユニット５０のグリップ６２の回動操作がある。尚、ＡＦモード（ワンショットＡＦモード、連続ＡＦモード）においてＡＦの制御の実行中にＭＦ操作ユニット５０のグリップ６２が操作された場合には、ＭＦモード時と同様にグリップ６２の操作に基づいてフォーカスの制御が実行される。
【００２７】
ＡＦエリア位置コントロールスイッチ７４は、上下左右の４方向を指示する方向指示スイッチであり、被写体画像のコントラストの検出範囲（ＡＦの対象範囲）とするＡＦエリアの位置を撮影範囲内の所望の位置に設定するための操作部材である。レンズ装置１２では、このＡＦエリア位置コントロールスイッチ７４により指定された方向にＡＦエリアの位置をシフトさせ、コントラストの検出範囲の位置を変更する。
【００２８】
ＡＦエリアサイズ調整ツマミ７６は、ＡＦエリアの大きさを変更するための操作部材であり、レンズ装置１２では、ＡＦエリアサイズ調整ツマミ７６の回転位置に基づいて長方形のＡＦエリアの縦横比を一定に保った状態で面積を拡大・縮小する。
【００２９】
ＡＦスピード調整ツマミ７８は、合焦点にフォーカスを移動させる際のフォーカスの移動速度を調整する操作部材である。レンズ装置１２では、ＡＦスピード調整ツマミ７８の回転位置に基づいてＡＦの制御時におけるフォーカスの移動速度を変更する。
【００３０】
方向切替スイッチ８０は、ＡＦエリア位置コントロールスイッチ７４の上下左右の各方向指示スイッチに対するＡＦエリアの移動方向を通常の状態と反転の状態とで切り替えるための操作部材であり、この方向切替スイッチ８０の状態に対応した処理は、ＡＦ操作ユニット５２内で行うことも可能であるし、レンズ装置１２において行うことも可能である。例えば、ＡＦエリア位置コントロールスイッチ７４の上方向のスイッチがオンされたものとする。このとき、方向切替スイッチ８０が通常の状態に設定されている場合に、ＡＦエリアが撮影画面上で上方向にシフトするものとすると、方向切替スイッチ８０が反転の状態に設定されている場合には、ＡＦエリアが撮影画面上で下方向にシストするように、ＡＦエリア位置コントロールスイッチ７４の各方向指示スイッチにより指示される方向の認識を上方向と下方向、左方向と右方向とで切り替える。これによって、ＡＦ操作ユニット５２を通常の向きに対して反対の向きに設置した場合にでも操作した方向指示スイッチの方向とＡＦエリアの移動方向とを一致させることができるようになっている。
【００３１】
ＡＦ操作ユニット５４のユニット本体１００にはＡＦスタートスイッチ８２が設けられている。ＡＦスタートスイッチ８２は、上記のようにＡＦモード（ワンショットＡＦモード、連続ＡＦモード）においてＡＦの制御の開始を指示するためのスイッチである。レンズ装置１２では、ＡＦモード時においてＡＦスタートスイッチ８２がオンされたことを検出するとＡＦの制御を開始する。
【００３２】
特に、このＡＦスタートスイッチ８２は、撮影中に頻繁に使用されるため、ＡＦ操作ユニット５２とは別体のＡＦ操作ユニット５４に設けられており、このＡＦ操作ユニット５４だけでも操作者が使い勝手の良い場所に取り付けられるようになっている。また、ＡＦ操作ユニット５４のユニット本体１００にはマジックテープ（登録商標）等の簡易な締結手段により両端部が締結可能となっているバンド１０２が設けられており、そのバンド１０２を図１の操作ロッド２４に巻き付けて締結手段により両端部を締結することによって簡易に操作ロッド２４に取り付けることができるようになっている。
【００３３】
尚、図２における操作ユニット５６は、ＡＦ操作ユニット５４と同様にバンド１１２によって所望の操作ロッドに取り付けられる操作ユニットであり、ユニット本体１１０のコネクタ１１４がＡＦ操作ユニット５２のコネクタ９６にケーブルで接続されるようになっている。この操作ユニット５６は、ＡＦと関係のないリターンスイッチ１２０が設けられており、その操作に基づく指令信号がＡＦ操作ユニット５２を介してレンズ装置１２に送信されるようなっている。リターンスイッチ１２０は、図１のモニタ１５の映像を自己のカメラの撮影映像と他のカメラの撮影映像（又は放送中の撮影映像）とで切り替えるための操作部材である。ＡＦとは関係のないこのような操作ユニットについても、ＡＦ操作ユニット５２にケーブルで接続することによって、ＡＦ操作ユニット５２を介して、レンズ装置１２にその操作ユニットからの指令信号をレンズ装置１２に送信することができるようになっている。
【００３４】
以上、上記実施の形態では、ＡＦ操作ユニット５４のＡＦスタートスイッチ８２は、ＡＦ操作ユニット５２に設けられていないが、ＡＦ操作ユニット５２、５４の両方にＡＦスタートスイッチ８２を設けてもよい。
【００３５】
また、上記実施の形態では、ＡＦスタートスイッチ８２をＡＦ操作ユニット５２とは別体のＡＦ操作ユニット５４に設けるようにしたが、これに限らず、ＡＦに関連する操作部材のうち１又は複数の任意の種類の操作部材をＭＦ操作ユニット５０及びＡＦ操作ユニット５２と別体の操作ユニットに設けるようにしてもよい。
【００３６】
また、ＡＦ操作ユニット５２はＭＦ操作ユニット５０と一体であってもよい。
【００３７】
また、各操作ユニット（５０、５２、５４等）を操作ロッド等に取り付ける手段はどのようなものであってもよく、また、上記実施の形態の取付位置に限らず所望の位置（操作者の腕等）に取り付けられるようにしてもよい。また、例えばＡＦ操作ユニット５４のように１つの操作部材が設けられる操作ユニットは、足で操作可能な構成（フットスイッチ等）とし、操作者の足元などに配置してもよい。
【００３８】
また、操作ユニット間での信号の伝送はケーブルではなく無線を使用してもよい。
【図面の簡単な説明】
【００３９】
【図１】図１は、本発明に係るフォーカス操作装置を使用したカメラシステムの一実施の携帯を示した外観斜視図である。
【図２】図２は、フォーカス操作装置を構成する各操作ユニットを示した正面図である。
【符号の説明】
【００４０】
１０…テレビカメラ、１２…レンズ装置、１４…カメラ本体、１８…雲台、２２，２３，２４…操作ロッド、２６…ズーム操作装置、２８…フォーカス操作装置、５０…ＭＦ操作ユニット、５２，５４…ＡＦ操作ユニット、６０，７０，１００…ユニット本体、６２…グリップ、７２…ＡＦモードスイッチ、７４…ＡＦエリア位置コントロールスイッチ、７６…ＡＦエリアサイズ調整ツマミ、７８…ＡＦスピード調整ツマミ、８０…方向切替スイッチ、８２…ＡＦスタートスイッチ
【図１】
2009003015.tif 000003
【図２】
2009003015.tif 000004